(57)【要約】【課題】ＤＳＰ機能付記録媒体再生装置において、ＤＳＰ機能がＯＦＦにされている場合においても、確実に消費電力を押さえることを課題とする。【解決手段】ＤＳＰ機能がＯＦＦにされている場合に、デコーダＬＳＩ７内で伸張された信号を、ＤＳＰ　ＬＳＩ９を通過せずに直接Ｄ／Ａコンバータ７ｆに出力させるため、デコーダＬＳＩ７の入出力切換え回路７ｇを入力ポートから出力ポートに変換し、ＤＳＰ　ＬＳＩ９の出力／Ｈｉ−Ｚ切換え回路９ｃをハイインピーダンスとし、ＤＳＰ　ＬＳＩ９の出力／Ｈｉ−Ｚ切換え回路９ｃ以外の動作を非動作とすることを特徴とする。【選択図】　図１
2004144872.tif 000002
【特許請求の範囲】
【請求項１】
記録媒体に記録された圧縮情報を読取る読取手段と、
前記読取手段により読取られた信号を伸長する伸長手段と、
前記伸長手段によって伸長された信号に対し音響効果を与えるように加工する加工手段と、
前記加工手段により加工された信号若しくは該加工手段を介さずに前記伸長手段によって伸長された直接の信号をアナログ信号に変換する信号変換手段と、
前記加工手段により加工を施すか否かを切り換える加工切換え手段とを備え、前記加工手段により加工を施さないように前記加工切換え手段を設定している場合において、
前記加工手段の出力部をハイインピーダンスとし、
前記加工手段の出力部以外の動作を非動作とすることを特徴とする記録媒体再生装置
【請求項２】
請求項１に記載の記録媒体再生装置において前記加工手段は、
複数の信号の同期を取るＰＬＬ回路と、
該ＰＬＬ回路により同期を取った信号に対しデジタル信号処理を行うデジタルシグナルプロセッサー回路と、
加工した信号を出力するのか若しくはハイインピーダンスとして電流を完全に遮断するのかを切換える切換え回路により構成した出力部とからなることを特徴とする記録媒体再生装置。
【請求項３】
請求項１または２に記載の記録媒体再生装置において、
前記伸長手段により伸長された信号を直接前記信号変換手段に出力することを特徴とする記録媒体再生装置。
【請求項４】
請求項１から３の何れかに記載の記録媒体再生装置において、
前記加工手段から前記信号変換手段へ信号が入力されるのか否かを切換える入出力切換え手段を備え、
前記加工手段により加工を施さないように前記加工切換え手段を設定する際、前記加工手段の出力部に接続される入出力切換え手段の入力ポートを出力ポートに変換すると共に、
前記加工手段の出力部をハイインピーダンスに設定することを特徴とする記録媒体再生装置。
【請求項５】
請求項１から４の何れかに記載の記録媒体再生装置において、
前記加工手段により加工を施さないように前記加工切換え手段を設定する際、前記加工手段により加工を施すような初期設定を行った後に、前記加工手段により加工を施さないような設定を行うことを特徴とする記録媒体再生装置。
【発明の詳細な説明】
【０００１】
【発明の属する技術分野】
本発明は、記録媒体に記録された音声／音楽データなどの情報信号を再生する記録媒体再生装置に関する。
【０００２】
【従来の技術】
以下では、従来の記録媒体再生装置についてミニディスク再生装置（以下、「ＭＤ再生装置」という）を例に挙げて説明を行う。
【０００３】
ＭＤ再生装置は、ミニディスク（以下、「ディスク」という）にデジタル記録された音声／音楽データ等の情報信号を再生するデジタルオーディオ機器である。
【０００４】
ディスクにデジタル記録されている情報信号には、フレーム間のデータの変化のみを記録する時間軸圧縮が施されており、ＭＤ再生装置は、前記ディスクから読み出した情報信号を時間軸伸長した後、デジタル／アナログ変換することにより元の音声／音楽データ等を再生する。
【０００５】
最近のＭＤ再生装置では、前記ディスクから読み出した情報信号を時間軸伸長した後に、デジタルシグナルプロセッサー回路（以下、「ＤＳＰ回路」という）において、デジタル信号処理を行い、音声／音楽データの低域成分をブーストしたり、Ｊ−ＰＯＰ／ＪＡＺＺ等のジャンル別に周波数帯域をいくつかに分け、その周波数毎に情報信号をデジタル加工することにより使用者の好むような音にすることのできるＤＳＰ機能付の装置もある。
【０００６】
このような従来のＤＳＰ回路付ＭＤ再生装置を簡易にブロック図で表すと図３のようになる。
【０００７】
ディスク１７からピックアップ１８を通して読み出したＲＦ信号はＲＦアンプ１９で増幅されてデコーダ／サーボＬＳＩ２０に入力される。
【０００８】
デコーダ／サーボＬＳＩ２０では、信号を時間軸伸長したり、ピックアップ１８を制御するサーボ信号を生成する等の処理を行う。
【０００９】
前記ＤＳＰ回路を有するＬＳＩ（以下、「ＤＳＰ　ＬＳＩ」という）２１はデコーダ／サーボＬＳＩ２０とは、別の回路となっており、デジタル信号処理を行うＬＳＩを使用する場合が多い。
【００１０】
ＤＳＰ　ＬＳＩ２１は、デコーダ／サーボＬＳＩ２０内で生成されたＢＣＬＫ、ＬＲＣＬＫ、ＤＡＴＡ、ＭＣＬＫの４つの信号を受け取る。ＢＣＬＫ、ＬＲＣＬＫ、ＤＡＴＡはデジタルオーディオ信号で、ＭＣＬＫは、ＤＳＰ　ＬＳＩ２１を動作させるためのクロックである。ＢＣＬＫは、ＤＡＴＡを送受信するためのクロック、ＬＲＣＬＫはＤＡＴＡがＬｃｈのものかＲｃｈのものかを知らせるもので、ＬｃｈのＤＡＴＡの場合、Ｈ出力、ＲｃｈのＤＡＴＡの場合、Ｌ出力である。
【００１１】
ＤＳＰ　ＬＳＩ２１は、これらの４つの信号を受け取ると、該ＬＳＩ内に存在するＰＬＬ回路により、同期をとる。そして、同時刻の信号のもので音声／音楽データを音響効果を奏するように加工し、その加工したデジタルオーディオ信号を再びデコーダ／サーボＬＳＩ２０に戻し、該ＬＳＩ内のＤ／Ａコンバータ回路にて、アナログ信号に変換し、アンプ回路２２に出力する。最終的にヘッドホン２５に出力される。
【００１２】
ＤＳＰ回路付ＭＤ再生装置では、ＤＳＰ機能を有効にするか否かを決定するスイッチ２４が設けられており、システムコントローラ用マイクロコンピュータ（以下、「システムコントローラ」という）２３で監視している。システムコントローラ２３は、その他、デコーダ／サーボＬＳＩ２０、ＤＳＰ　ＬＳＩ２１に対する種々の制御も行っている。
【００１３】
このようなＤＳＰ回路付記録媒体再生装置において、ＤＳＰ　ＬＳＩは音楽データの再生を行っている間だけ、自身の発振回路からデジタルアナログ変換回路に対して動作クロックを供給し、再生中以外にはデジタルアナログ変換回路を動作させることなく消費電力を低減したものがある（特許文献１参照）。
【００１４】
【特許文献１】
特開２００１−１４２４７４（０１２７段）
【００１５】
【発明が解決しようとする課題】
上記特許文献１は、非再生時において回路を非動作にすることにより消費電力を低減したものであるが、本発明は以下に示すように、非再生時のみならず、ＤＳＰ回路付記録媒体再生装置の特徴を活かし、再生時に再生モードに応じた電力を考慮し、更なる省電力化を図ろうとするものである。
【００１６】
従来のＤＳＰ回路付ＭＤ再生装置では、再生時、ＤＳＰ機能がＯＮにされている場合は、上記のようにデコーダ／サーボＬＳＩ２０とＤＳＰ　ＬＳＩ２１の２つのＬＳＩ間において、ＤＳＰ　ＬＳＩ２１内のＰＬＬ回路の動作により同期を取って、デジタルオーディオ信号がやり取りされているが、再生時にＤＳＰ機能がＯＦＦにされている場合においても、デジタルオーディオ信号はＤＳＰ　ＬＳＩ２１に送出され、ＰＬＬ回路により同期を取って、入力されたデジタルオーディオ信号を加工せずにそのまま出力端子より出力している。
【００１７】
これは、音声伸張回路からＤ／Ａコンバータに直接信号を送信した場合、音声伸張回路とＤＳＰ回路からの電源電圧との両方の信号が入力されることとなり、データのぶつかりが生じ、データ誤りが発生する可能性があるためである。
【００１８】
そのため、ＤＳＰ機能がＯＦＦにされている場合においても、ＤＳＰ　ＬＳＩ２１内のＤＳＰ回路やＰＬＬ回路で電力を消費することとなっている。
【００１９】
持ち運びの容易な携帯用のＭＤ再生装置等では、その電源として充電池や乾電池等を用いているので、可能な限り消費電力を抑える構成とすることが望ましい。
【００２０】
本発明は、上記の問題点に鑑み、記録媒体再生装置、特に持ち運び容易な携帯用記録媒体再生装置において、ＤＳＰ機能がＯＦＦにされている場合においても、確実に消費電力を抑えることのできる記録媒体再生装置を提供することを目的としている。
【００２１】
【課題を解決するための手段】
上記目的を達成するために、本発明に係る記憶媒体再生装置は、以下の構成を備えている。
【００２２】
（１）記録媒体に記録された圧縮情報を読取る読取手段と、前記読取手段により読取られた信号を伸長する伸長手段と、前記伸長手段によって伸長された信号に対し音響効果を与えるように加工する加工手段と、前記加工手段により加工された信号若しくは該加工手段を介さずに前記伸長手段によって伸長された直接の信号をアナログ信号に変換する信号変換手段と、前記加工手段により加工を施すか否かを切り換える加工切換え手段とを備え、前記加工手段により加工を施さないように前記加工切換え手段を設定している場合において、前記加工手段の出力部をハイインピーダンスとし、前記加工手段の出力部以外の動作を非動作とすることを特徴とする。
【００２３】
この構成においては、前記加工手段により加工を施さないように前記加工切換え手段を設定している場合において、前記加工手段の出力部以外の動作を非動作にすることにより省電力とし、かつ前記加工手段の出力部をハイインピーダンスとするため、異常電流を出力してしまう等ということを防止することが可能となる。
【００２４】
（２）請求項１に記載の記録媒体再生装置において前記加工手段は、複数の信号の同期を取るＰＬＬ回路と、該ＰＬＬ回路により同期を取った信号に対しデジタル信号処理を行うデジタルシグナルプロセッサー回路と、加工した信号を出力するのか若しくはハイインピーダンスとして電流を完全に遮断するのかを切換える切換え回路により構成した出力部とからなることを特徴とする。
【００２５】
この構成においては、請求項１で示したのと同様に出力部はハイインピーダンスとし、ＰＬＬ回路とデジタルアナログプロセッサー回路は非動作とすることで省電力とすることが可能となる。
【００２６】
（３）請求項１または２に記載の記録媒体再生装置において、前記伸長手段により伸長された信号を直接前記信号変換手段に出力することを特徴とする。
【００２７】
この構成においては、請求項１の構成において異常電流を出力する等を防止することを実現したので、前記加工手段により加工を施さないように前記加工切換え手段を設定している場合において、前記伸長手段によって伸長された信号を前記信号変換手段に直接出力するようにすることで、前記伸長手段、信号変換手段以外の前記加工手段に関わる回路を停止し、省電力化が可能となる。
【００２８】
（４）請求項１から３の何れかに記載の記録媒体再生装置において、前記加工手段から前記信号変換手段へ信号が入力されるのか否かを切換える入出力切換え手段を備え、前記加工手段により加工を施さないように前記加工切換え手段を設定する際、前記加工手段の出力部に接続される入出力切換え手段の入力ポートを出力ポートに変換すると共に、前記加工手段の出力部をハイインピーダンスに設定することを特徴とする。
【００２９】
この構成においては、前記加工手段により加工を施さないように前記加工切換え手段を設定する際、前記加工手段の出力部に接続される入出力切換え手段の入力ポートを出力ポートに変換すると共に、前記加工手段の出力部をハイインピーダンスに設定することで確実な省電力モードへの移行が可能となる。
【００３０】
（５）請求項１から４の何れかに記載の記録媒体再生装置において、前記加工手段により加工を施さないように前記加工切換え手段を設定する際、前記加工手段により加工を施すような初期設定を行った後に、前記加工手段により加工を施さないような設定を行うことを特徴とする記録媒体再生装置。
【００３１】
この構成においては、前記加工手段により加工を施さないように前記加工切換え手段を設定する際、前記加工手段により加工を施すような初期設定を行った後に、前記加工手段により加工を施さないような設定を行うことで確実に省電力モードへ移行することが可能となる。
【００３２】
【発明の実施の形態】
以下に、本発明に係る記憶媒体再生装置の実施例を、携帯用のＤＳＰ回路付ＭＤ再生装置を例にとり、図１を参照して説明する。
【００３３】
図１は、ＤＳＰ回路付ＭＤ再生装置の概略構成を示すブロック図である。
【００３４】
本実施例に係るＭＤ再生装置は、音の臨場感を高めるＤＳＰ機能を備えており、ＤＳＰ機能のＯＮ、ＯＦＦを切り換えるスイッチ（以下「ＤＳＰ　ＳＷ」という）１５を設けて、臨場感あふれる再生音とするか否かを決定するものである。
【００３５】
ディスク１は、同心円状、または螺旋状のトラックを有しており、音声／音楽データ等の情報信号は、前記トラックに沿ってデジタル記録されている。
【００３６】
ディスク１にデジタル記録されている情報信号には、時間軸圧縮が施されている。また、ディスク１には、音声／音楽データ等の主情報以外にディスクタイトル名や各トラックタイトル名、音声／音楽データが格納されているメモリのアドレス情報等を含んだＵ−ＴＯＣ情報も記録されている。
【００３７】
ディスク１に記録された情報信号を再生する際、ディスク１をスピンドルモータ２によって線速度一定、あるいは角速度一定で回転させると同時に、ピックアップ３を送りモータ４によってディスク１の半径方向にステップ駆動させる。そして、所定のトラックに位置決めしたピックアップ３から前記トラックに向けてレーザービームを照射し、その反射光の強弱変化を再びピックアップ３で検出することにより前記情報信号の読み取りを行う。
【００３８】
スピンドルモータ２、ピックアップ３、および送りモータ４の駆動制御はドライバ回路５によって行っている。
【００３９】
ピックアップ３は、ディスク１から読み取った前記情報信号を、ＲＦアンプ６に送出する。
【００４０】
ＲＦアンプ６は、前記情報信号を増幅してデコーダ／信号処理回路を有するＬＳＩ（以下、「デコーダＬＳＩ」という）７に該増幅した情報信号を出力すると同時に、前記情報信号に基づいてフォーカスエラー信号、およびトラッキングサーボ信号といったサーボ制御信号を生成して、デコーダＬＳＩ７に送出する。
【００４１】
ここで、デコーダＬＳＩ７は、サーボ回路７ａ、信号処理回路７ｂ、ショックプルーフメモリーコントローラ（以下、「メモリコントローラ」という）７ｃ、音声伸長回路７ｄ、デジタルオーディオインターフェイス回路７ｅ、Ｄ／Ａコンバータ７ｆ、入出力切換え回路７ｇ等により構成される。
【００４２】
前記サーボ制御信号は、サーボ回路７ａが受け取り、該サーボ回路は、前記サーボ制御信号や信号処理回路７ｂからのアドレス信号、およびシステムコントローラ１１からのコントロール信号に従って、ドライバ回路５をコントロールすることで、フォーカシング、トラッキング、ディスクスピンといった各種動作のサーボ制御を行っている。
【００４３】
ＲＦアンプ６で増幅された前記情報信号は、信号処理回路７ｂで受け取り、アドレス信号の抽出、主信号の復調、誤り訂正といった処理を施す。その後、処理の済んだ該情報信号をメモリコントローラ７ｃに送出する。
【００４４】
メモリコントローラ７ｃは、ショックプルーフメモリ８に対する情報の書き込み、および読み出しを制御する手段であり、信号処理回路７ｂからの前記情報信号は、このショックプルーフメモリ８に一旦書き込まれる。
【００４５】
ここで、メモリコントローラ７ｃがショックプルーフメモリ８に書き込む際の書き込みレートは１．４Ｍｂｉｔ／秒で、読み出しレートは０．３Ｍｂｉｔ／秒である。ここに１．１Ｍｂｉｔ／秒の処理速度の差が生じ、この処理速度の差によって、ショックプルーフメモリ８には時間軸圧縮を解く前の前記情報信号が蓄積されることになる。これにより、ＭＤ再生装置が外部からショックを受け、ピックアップによるディスク１の読取り位置がずれた場合にも、ピックアップが正しい読取りが行えるようになるまでの時間を吸収できることとなる。
【００４６】
さらにショックプルーフメモリ８には、ディスク１より読み出した前記Ｕ−ＴＯＣ情報の格納も行っており、例えば、ディスク１に記録されている各曲のスタート位置、エンド位置、あるいは時間情報等を得ることができる。
【００４７】
そしてメモリコントローラ７ｃは、ショックプルーフメモリ８から読み出した前記情報信号を音声伸長回路７ｄに送出する。
【００４８】
音声伸長回路７ｄは、メモリコントローラ７ｃから入力された前記情報信号を所定のフォーマットに従って時間軸伸長することで圧縮を解く。
【００４９】
これ以降の情報信号の処理は、ＤＳＰ　ＳＷ１５がＯＮ（ＤＳＰ機能ＯＮ）の場合とＯＦＦ（ＤＳＰ機能ＯＦＦ）の場合で異なるため、ＤＳＰ機能ＯＮのときとＯＦＦのときの各種設定手順を示した図２のフローチャートも参照しながら説明を進める。
【００５０】
ＤＳＰ　ＳＷ１５は、システムコントローラ１１に接続されており、このスイッチの状態を、システムコントローラ１１で監視している。ここでは、ＤＳＰ　ＳＷ１５がＯＮかＯＦＦが検出される（ステップｍ１）。
【００５１】
ＤＳＰ　ＳＷ１５がＯＮの場合、ＤＳＰ機能を有効にするよう以下のような設定がシステムコントローラ１１によりなされている。
【００５２】
まず、音声伸長回路７ｄからデジタルオーディオインターフェイス回路７ｅへの出力構成の設定を行う（ステップｎ１）。
【００５３】
次に、デジタルオーディオインターフェイス回路７ｅより、ＤＳＰ　ＬＳＩ９に送出するデジタルオーディオ信号に基づく出力構成の設定を行う（ステップｎ２）。
【００５４】
ここでＤＳＰ　ＬＳＩ９は、ＤＳＰ回路９ａ、ＰＬＬ回路９ｂ、出力／Ｈｉ−Ｚ切換え回路９ｃによって構成されている。
【００５５】
ＤＳＰ　ＬＳＩ９内の出力／Ｈｉ−Ｚ切換え回路９ｃを「出力」に設定し（ステップｎ３）、デコーダＬＳＩ７内の入出力切換え回路７ｇを「入力」ポートに切換える（ステップｎ４）。
【００５６】
また、ＤＳＰ回路９ａにおけるデジタルオーディオ信号の「加工条件」（中域を持ち上げる、ディレイを設定する等）を設定し（ステップｎ５）、その後デジタルオーディオ出力のデータを出力させる、ＤＳＰ　ＬＳＩ９の動作を開始させる等ＤＳＰ動作を行わせるための各種設定を行う（ステップｎ６）。
【００５７】
上記のように各回路がＤＳＰ機能を有するような設定がなされている下で、情報信号は以下のように処理される。
【００５８】
音声伸長回路７ｄで伸長された情報信号は、デジタルオーディオインターフェイス回路７ｅに入力され、デジタルオーディオ信号に変換される。
【００５９】
デジタルオーディオインターフェイス回路７ｅで生成されたＢＣＬＫ、ＬＲＣＬＫ、ＤＡＴＡ、ＭＣＬＫの４つの信号は、ＤＳＰ　ＬＳＩ９内のＤＳＰ回路９ａとＰＬＬ回路９ｂに入力される。ＰＬＬ回路９ｂでは、入力された４つの信号の同期を取り、ＤＳＰ回路９ａにて、同期に基づいて同時刻の情報信号について加工が行われる。
【００６０】
ＤＳＰ回路９ａから出力されたデジタルオーディオ信号は、出力／Ｈｉ−Ｚ切換え回路９ｃを通して、デコーダＬＳＩ７に戻される。
【００６１】
ＤＳＰ　ＬＳＩ９で加工されたデジタルオーディオ信号は、デコーダＬＳＩ７内の入出力切換え回路７ｇを通過した後、Ｄ／Ａコンバータ７ｆに入力され、アナログの音声／音楽信号となり、アンプ回路１０に出力される。
【００６２】
一方、ＤＳＰ　ＳＷ１５がＯＦＦの場合、ＤＳＰ機能が働かないよう以下のような設定がシステムコントローラ１１によりなされている。
【００６３】
まず、音声伸長回路７ｄからデジタルオーディオインターフェイス回路７ｅへの出力構成の設定が行う（ステップｍ２）。
【００６４】
次に、デジタルオーディオインターフェイス回路７ｅよりＤＳＰ　ＬＳＩ９に送出するデジタルオーディオ信号に基づく出力構成の設定を行う（ステップｍ３）。
【００６５】
さらにＤＳＰ　ＬＳＩ９の出力／Ｈｉ−Ｚ切換え回路９ｃを「出力」に設定し（ステップｍ４）、デコーダＬＳＩ７内の入出力切換え回路７ｄを「入力」ポートに切換える（ステップｍ５）。
【００６６】
以上のステップｍ２からステップｍ５までの処理は、ＤＳＰ　ＳＷ１５がＯＮの場合のステップｎ１からステップｎ４までの処理と同様である。
【００６７】
このように、ＤＳＰ機能を動作させる時と同じような操作を行った後、デジタルオーディオインターフェイス回路７ｅからＤＳＰ　ＬＳＩ９へのデジタルオーディオ信号の出力構成の設定を解除する（ステップｍ６）。
【００６８】
次に、デコーダＬＳＩ９の入出力切換え回路７ｇを「入力」ポートから「出力」ポートに切換える（ステップｍ７）。
【００６９】
また、ＤＳＰ　ＬＳＩ９の出力／Ｈｉ−Ｚ切換え回路９ｃを「Ｈｉ−Ｚ」に設定し（ステップｍ８）、デコーダＬＳＩ９の入出力切換え回路７ｇが「出力」ポートに切り換ったことに対するデータのぶつかり合いがないように対応する。
【００７０】
そして、音声伸長回路７ｄからデジタルオーディオインターフェイス回路７ｅへの情報信号の出力構成の設定を解除し（ステップｍ９）、その後、音声伸長回路７ｄからＤ／Ａコンバータ回路７ｆへ情報信号が出力されるように設定する（ステップｍ１０）。
【００７１】
最後に、ＤＳＰ動作を行わず、通常再生するため、デジタルオーディオインターフェイス回路７ｅ、ＤＳＰ回路９ａ、ＰＬＬ回路９ｂの動作を止めるよう設定する（ステップｍ１１）。
【００７２】
上記のようにＤＳＰ機能が働かないような設定がなされている下で、情報信号は以下のように処理される。
【００７３】
音声伸長回路７ｄから伸長された情報信号は、デジタルオーディオインターフェイス回路７ｅには出力されず、直接Ｄ／Ａコンバータ７ｆに出力され、アナログの音声／音楽信号となる。
【００７４】
この時、入出力切換え回路７ｇが「入力」ポートの状態のままであると、Ｄ／Ａコンバータ７ｆに誤った信号を入力させる原因となるため、「出力」の状態に設定されている。
【００７５】
入出力切換え回路７ｇが出力ポートとなった場合、ＤＳＰ　ＬＳＩ９の出力／Ｈｉ−Ｚ切換え回路９ｃを、「出力」からインピーダンスの高い「Ｈｉ−Ｚ」状態に切換え、信号がぶつかり合い、異常電流が流れないようにしている。
【００７６】
さらに、デジタルオーディオインターフェイス回路７ｅからＤＳＰ　ＬＳＩ９のＤＳＰ回路９ａやＰＬＬ回路９ｂに信号が出力されないため、ＤＳＰ回路９ａやＰＬＬ回路９ｂの動作を止め、ＤＳＰ　ＬＳＩ９において、極力、電力を消費しないような状態とされている。
【００７７】
ＤＳＰ　ＳＷ１５がＯＦＦの場合でも、ＤＳＰ　ＳＷ１５がＯＮの処理（ステップｎ１〜ｎ４）と同様な処理を行った後、わざわざ反対の処理を行う理由は、デコーダＬＳＩ７とＤＳＰ　ＬＳＩ９の設定が、確実に省電力モードとなり、デコーダＬＳＩ７の入出力切換え回路７ｄが出力ポートに切り換ったことに対するデータのぶつかり合いがないようにするためである。
【００７８】
最終的にＤＳＰ　ＳＷ１５のＯＮ、ＯＦＦに関係なく、Ｄ／Ａコンバータ７ｆから出力されたアナログの音声／音楽信号は、アンプ回路１０に出力され、該回路を介することで、音声／音楽データの音量などを調節し、ヘッドホン１６を通じて使用者に音声／音楽データの再生出力を行う。
【００７９】
なお、Ｄ／Ａコンバータ７ｆは、外付けのＤＡコンバーターＩＣであってもよい。このときＤＳＰ　ＳＷ１５がＯＦＦなら、情報信号は音声伸長回路７ｄから入出力切換え回路７ｇを通して外付けのＤＡコンバーターＩＣに出力されることになる。
【００８０】
システムコントローラ１１は、電源電圧検出回路１３で検出した電源１４の電圧値を常時チェックしており、電源１４の電圧値が、ディスク１の再生動作に適しているか否かといった確認を行ってから、電源回路１２に電源１４から電力の供給を行っている。
【００８１】
電源回路１２はＤＣ−ＤＣ変換回路等で構成されており、前記ＭＤ再生装置の各部に必要な電圧を供給している。
【００８２】
なお、電源１４としては、携帯性が良く長寿命のリチウムイオン充電池／Ｎｉ−ＭＨ充電池などを用いると良い。
【００８３】
上述した実施形態においては、携帯用のＭＤ再生装置を例に挙げて説明を行ったが、本発明はＭＤ再生装置に限るものではなく、記録媒体から読み出した情報信号をメモリに格納しながら、前記メモリに対する書き込み速度より遅い速度で前記メモリから前記情報を読み出すことで、前記メモリに前記情報信号を蓄積しつつ、前記記録媒体に記録された情報の再生を行う記録媒体再生装置に広く適用し得るものである。
【００８４】
【発明の効果】
この発明によれば、以下のような効果を奏することができる。
【００８５】
（１）前記加工手段により加工を施さないように前記加工切換え手段を設定している場合において、前記加工手段の出力部以外の動作を非動作にすることにより省電力とし、かつ前記加工手段の出力部をハイインピーダンスとするため、異常電流を出力してしまう等ということを防止することが可能となる。
【００８６】
（２）請求項１で示したのと同様に出力部はハイインピーダンスとし、ＰＬＬ回路とデジタルアナログプロセッサー回路は非動作とすることで省電力とすることが可能となる。
【００８７】
（３）請求項１の構成において異常電流を出力する等を防止することを実現したので、前記加工手段により加工を施さないように前記加工切換え手段を設定している場合において、前記伸長手段によって伸長された信号を前記信号変換手段に直接出力するようにすることで、前記伸長手段、信号変換手段以外の前記加工手段に関わる回路を停止し、省電力化が可能となる。
【００８８】
（４）前記加工手段により加工を施さないように前記加工切換え手段を設定する際、前記加工手段の出力部に接続される入出力切換え手段の入力ポートを出力ポートに変換すると共に、前記加工手段の出力部をハイインピーダンスに設定することで確実な省電力モードへの移行が可能となる。
【００８９】
（５）前記加工手段により加工を施さないように前記加工切換え手段を設定する際、前記加工手段により加工を施すような初期設定を行った後に、前記加工手段により加工を施さないような設定を行うことで確実に省電力モードへ移行することが可能となる。
【図面の簡単な説明】
【図１】本発明に係るＤＳＰ機能付ＭＤ再生装置の概略構成を示すブロック図である。
【図２】本発明に係るＤＳＰ機能付ＭＤ再生装置の動作を示すフローチャートである。
【図３】従来のＤＳＰ機能付ＭＤ再生装置の概略構成を示すブロック図である。
【符号の説明】
１、１７　　ミニディスク
２　　　　　スピンドルモータ
３、１８　　ピックアップ
４　　　　　送りモータ
５　　　　　ドライバ回路
６、１９　　ＲＦアンプ
７　　　　　デコーダＬＳＩ
８　　　　　ショックプルーフメモリ
９、２１　　ＤＳＰ　ＬＳＩ
１０、２２　アンプ回路
１１、２３システムコントロール用マイクロコンピュータ
１２　　　電源回路
１３　　　電源電圧検出回路
１４　　　電源
１５、２４ＤＳＰ　ＯＮ／ＯＦＦ　ＳＷ
１６、２５ヘッドホン
２０　　　デコーダ／サーボＬＳＩ
【図１】
2004144872.tif 000003
【図２】
2004144872.tif 000004
【図３】
2004144872.tif 000005